(57)【要約】      （修正有）【課題】激しい動きをしても帯紐の結び目がずれにくく、また下腹部を強くサポートできる武道用袴を提供する。【解決手段】台形状の前布２、後布の斜辺下２／３〜４／５程度を縫いあわせ、膝より下となる部分をキュロットスカート状に縫製し、後布上部に腰板８を設ける。腰板８の底辺には後布の左右外向に伸びる長尺の後帯紐を縫い付け、前布の上端部にも前布の左右外向に伸びる長尺の前帯紐１１を縫い付ける。前布２への縫い付け部に当たる腹帯部１３を下方に向けて円弧凸状の略扇形で、その尖端位置は前帯紐、後帯紐１１による結び目が設けられることとなる個所に略一致する形状とする。【選択図】図１
0003163888.tif 000002
【実用新案登録請求の範囲】
【請求項１】
台形状の前布、後布の斜辺下２／３〜４／５程度を縫いあわせ、膝より下となる部分をキュロットスカート状に縫製し、後布上部に腰板を設けた武道用袴であって、
前記腰板の底辺には後布の左右外向に伸びる長尺の後帯紐が縫い付けてあり、
前記前布の上端部には前布の左右外向に伸びる長尺の前帯紐であって、前記前布への縫い付け部に当たる腹帯部は下方に向けて円弧凸状の略扇形で、その尖端位置は前記前帯紐、後帯紐による結び目が設けられることとなる個所に略一致する形状の前帯紐が縫い付けてあることを特徴とする武道用袴。
【考案の詳細な説明】
【技術分野】
【０００１】
本考案は、剣道、弓道等の競技に使用される武道用袴に関する。
【背景技術】
【０００２】
剣道、弓道等の武道競技では武道用袴が着用される。袴は、台形状の前布、後布の斜辺下２／３〜４／５程度を縫いあわせ、膝より下となる部分がキュロットスカート状になるように縫製した構造になっている。図４は従来の袴３０を前から見た外形図、図５は腰に着想した状態である。前布３１には複数本の襞３２がとられ、後布は左右に分かれ上辺に板や厚紙を入れた小台形の腰板３４が設けられている。前布３１の最上部には前帯紐３５が縫い付けられ、後布にも腰板３４の底辺に後帯紐３６が取り付けられている。これら２本の帯紐で袴３０を腰に固定する。着用の際は前帯紐３５を身体の後で一度交差させて前に出し、縫い付けた前帯紐３５の下５〜１０ｃｍを重ねた状態で通るようにして再度、右腰あたりで交差させて後で強く結ぶ。次に後布の腰板３４を背中に密着させた状態で後帯紐３６を前に回し、下側の前帯紐３５の中央部分で結び目３７を設けて固定する。
【０００３】
ところで剣道競技などでは激しい動きが要求されるため着装に乱れが生じ易い。着装の乱れは、結び目３７付近や襞３２の部分に生じやすい。特に結び目３７は上方にずれ易く、上方にずれると見栄えが悪くなる。また、結び目３７が上方にずれると縫い付けた上側の前帯紐３５との間隔が狭まり、その間の襞３２にたわみや歪みが生じて更に見栄えが悪くなる。このような着装の乱れは立ち姿が重視される武道では好ましいことではない。
【０００４】
このような激しい動きによる着装の乱れを防止する袴が提案されている。例えば、特許文献１には、帯の位置に当たる袴の前側裏面に略三角形状の収納袋を平面ファスナなどで取り付け、その中に一定の厚みと強度を有する略三角形状プレートを収納する着崩れ防止具付き袴が提案されている。しかし、力を入れるべき下腹部にそのようなプレートを配置するのは競技の際に違和感を覚える。
【０００５】
また、特許文献２には、前身の帯結位置で左端襞の端部と右端襞の端部との間の前布に縫い付けた中帯止部と、左端襞の端部から前身縁取り部の左端部に斜めに前身に縫い付けた左前帯縫付け部を備えてその余の部分が自由とされた左前帯と、それと左右対称に設けた右前帯とを備え、中帯止部と左前帯縫付け部と右前帯縫付け部と前身縁取り部とに囲まれる領域に前身芯を備え、中帯止部は前身に両端部を縫付けて中間部を通し部とした剣道用袴が開示されている。
【０００６】
しかし、この剣道用袴の場合、前帯の前身への縫い付けによる取り付けが複雑であり、前身芯の前布への取り付けも簡単ではなく、全体として構造が複雑である。また、前身の上端縁には従来の袴であれば前帯が縫い付けられているが、この剣道用袴の場合は前帯の縫い付けないため見栄えにも問題がある。
【先行技術文献】
【特許文献】
【０００７】
【特許文献１】特開２００７−９３６０２号公報
【特許文献２】特開２００９−１６７５６２号公報
【考案の開示】
【考案が解決しようとする課題】
【０００８】
本考案は、従来技術のこうした問題点を解決するためになされたもので、その課題は、激しい動きをしても帯紐の結び目がずれにくく、また下腹部を強くサポートできる武道用袴を提供することにある。
【課題を解決するための手段】
【０００９】
前記課題を解決するための請求項１に記載の考案は、台形状の前布、後布の斜辺下斜辺下２／３〜４／５程度を縫いあわせ、膝より下となる部分をキュロットスカート状に縫製し、後布上部には腰板を取り付けた武道用袴であって、後布の上端部と腰板との間には後布の左右外向に伸びる長尺の後帯紐が縫い付けてあり、前布の上端部には前布の左右外向に伸びる長尺の前帯紐であって、前布への縫い付け部に当たる腹帯部は下方に向けて略扇形の円弧凸状で、尖端位置が前帯紐、後帯紐による結び目が設けられることとなる個所に略一致する形状の前帯紐が縫い付けてあることを特徴とする武道用袴である。
【００１０】
このような構成の武道用袴は、前布に縫い付けた円弧凸状の幅広腹帯部が下腹部を強くサポートするため下腹部に力を入れやすくなる。このため下半身が安定し、姿勢がよくなって武道としての運動パフォーマンスが高くなる利点を有する。また、前帯紐の腹帯部をすべりにくく、厚みのある生地で形成することにより腹帯部の縁に沿って結び目に引き回した後帯紐は位置ずれしにくく、腹帯部の尖端部に形成された結び目も位置ずれにくい利点を有する。
【図面の簡単な説明】
【００１１】
【図１】本考案に係る武道用袴１の正面図である。
【図２】武道用袴１の背面図である。
【図３】武道用袴１を腰に固定した状態の正面図である。
【図４】従来の袴３０を前から見た外形図である。
【図５】従来の袴３０を腰に固定した状態である。
【考案を実施するための形態】
【００１２】
以下、本考案に係る武道用袴の一実施形態について図面を参照して説明する。図１は、本考案に係る武道用袴１の正面図、図２は背面図、図３は武道用袴１を腰に固定した状態の正面図である。
【００１３】
武道用袴１は、着装した状態で前側になる台形状の前布２と背面側になる台形状の後布３の斜辺下２／３〜４／５程度を縫いあわせ、着装した状態で膝より下となる部分はキュロットスカート状になるように縫製してある。前布２、後布３は裾にゆくほど大きくあまる構造になっており、足を入れても充分に余裕がある。前布２には左右に各２本、中央に１本の計５本の前襞５が設けられている。後布３は左右に分かれているが襞は設けられていない。
【００１４】
前布２、後布３の左右斜辺上部の縫いあわせのない部分は脇開き７となる。後布３の上辺には板や厚紙を入れた小台形の腰板８が設けられている。後布３の底辺には、後布３の左右外向にまで伸びる長尺の後帯紐１０が縫い付けてある。
【００１５】
前布２の上端部にも前布２の左右外向にまで伸びる長尺の前帯紐１１が縫い付けてある。本考案の武道用袴１は、縫い付けた前帯紐１１の形状にある。従来の袴では、全長に渡り同じ幅の帯紐が前帯紐として使用されてきた。これに対して本考案の武道用袴１では、前布２への縫い付け部分に当たる腹帯部１３が図１に示すように幅広に形成してある。その形状は、下方に向けて円弧凸状の略扇形にしてある。最広部の幅は、円弧凸状の尖端位置が前帯紐１１、後帯紐１０による結び目が設けられることとなる個所に略一致する寸法にしてある。
【００１６】
武道用袴１を着装する際は、袴に足を通して履き、前帯紐１１の左右の紐を身体の後ろで一度交差させてから前に出す。続いて前帯紐１１の前記円弧凸状の尖端付近で前帯紐１１をもう一度交差させてから再び後ろに回し、二本の端部を背中側で強く結ぶ。これにより前布２が腰に取り付けられる。なお、前帯紐１１、後帯紐１０はすべりにくく、厚みのある生地で形成することが好ましい。
【００１７】
次に、後布３の腰板８を背中に密着させ（角帯を締めている場合は腰板８をその結び目の上に置き）、後帯紐１０を身体の前に回す。そして交差させた前帯紐１１の中央部分で飾り結び部（結び目）１４を形成して止める。後帯紐１０を飾り結び部１４に引き回す際には、幅広に形成して縫い付けてある腹帯部１３の縁に沿って引き回す。武道用袴１は、腹帯部１３、前帯紐１１、後帯紐１０にて腰を締めあげる感じでしっかりと着装する。図３はこのようにして着装した状態を示す。
【００１８】
本考案の武道用袴１は、前帯紐１１の前布２への縫い付け部に当たる腹帯部１３が下方に円弧凸状の幅広に形成されているため下腹部が強くサポートされる。このため下腹部に力を入れやすくなり、下半身が安定して姿勢がよくなることで武道としての運動パフォーマンスが高くなる利点を有する。また、前帯紐１１の腹帯部１３はすべりにくく、厚みのある生地で形成してあり、前布２との間に若干の段差も生じる。このため後帯紐１０を腹帯部１３の縁に沿って飾り結び部１４に引き回すと激しい動きをしても位置ずれしにくく、腹帯部１３の尖端部に形成された飾り結び部１４も位置ずれしにくい利点を有する。飾り結び部１４と前布２の上辺との間は腹帯部１３で覆われて従来の袴のように襞が露出していないため、襞がたわんで露出することもない。このため立ち姿がきれいになる利点も有する。
【符号の説明】
【００１９】
図面中、１は武道用袴、２は前布、３は後布、８は腰板、１０は後帯紐、１１は前帯紐、１３は腹帯部、１４は結び目（飾り結び部）を示す。
【図１】
0003163888.tif 000003
【図２】
0003163888.tif 000004
【図３】
0003163888.tif 000005
【図４】
0003163888.tif 000006
【図５】
0003163888.tif 000007